【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
原稿が載置されるプラテンガラスと、
前記プラテンガラスの上に載置される前記原稿の位置を決める原稿位置決め部と、
前記プラテンガラスの上に載置された前記原稿を押さえる圧板と、
前記プラテンガラスの上に載置された前記原稿を照明する光源と、
主走査方向に並んで配置された複数の受光部を有し、前記光源により照明された前記原稿からの反射光を受光して画像データを生成するラインイメージセンサと、
前記圧板と前記プラテンガラスとのなす角度が所定の角度であることを検出するセンサと、
前記主走査方向に直交する副走査方向に前記原稿位置決め部から所定の距離だけ離れた検出位置に配置された原稿サイズ検出器と、
表示部を有し、前記原稿の画像を読み取る画像読取動作を開始させる第１のユーザ指示および前記原稿のサイズを検出する動作を実行させる第２のユーザ指示を受けるように構成された操作部と、
前記原稿の前記サイズを保存する記憶部と、
前記角度が前記所定の角度より大きい場合は、前記第２のユーザ指示を受けるためのソフトスイッチを前記表示部に表示させ、前記角度が前記所定の角度より大きく且つ前記第２のユーザ指示を受けた場合は、前記ラインイメージセンサの検出結果と前記原稿サイズ検出器の検出結果とに基づいて前記原稿の前記サイズを決定し、前記角度が前記所定の角度より小さい場合は、前記ソフトスイッチを前記表示部に表示せず又は前記ソフトスイッチを作動不能にし、前記第２のユーザ指示なしに前記ラインイメージセンサの前記検出結果と前記原稿サイズ検出器の前記検出結果とに基づいて前記原稿の前記サイズを決定する制御手段と、
を備えることを特徴とする画像読取装置。
【請求項２】
前記制御手段は、前記制御手段により決定された前記原稿の前記サイズを前記記憶部に保存し、前記記憶部に保存された前記サイズに従って前記画像読取動作を開始することを特徴とする請求項１に記載の画像読取装置。
【請求項３】
前記制御手段が前記ラインイメージセンサの前記検出結果と前記原稿サイズ検出器の前記検出結果とに基づいて前記原稿の前記サイズを決定することができない場合、前記制御手段は、ユーザが手動で前記原稿の前記サイズを選択するための原稿サイズ選択画面を前記表示部に表示することを特徴とする請求項１又は２に記載の画像読取装置。
【請求項４】
前記制御手段は、前記ユーザにより選択された前記原稿の前記サイズを前記記憶部に保存し、前記記憶部に保存された前記サイズに従って前記画像読取動作を開始することを特徴とする請求項３に記載の画像読取装置。
【請求項５】
前記表示部は、前記制御手段によって決定された前記原稿の前記サイズを表示することを特徴とする請求項１乃至４のいずれか一項に記載の画像読取装置。
【請求項６】
前記操作部は、前記第１のユーザ指示を受けるためのスタートキーを有することを特徴とする請求項１乃至５のいずれか一項に記載の画像読取装置。
【請求項７】
前記操作部は、タッチパネルセンサを有することを特徴とする請求項１乃至６のいずれか一項に記載の画像読取装置。
【手続補正２】
【補正対象書類名】明細書
【補正対象項目名】０００７
【補正方法】変更
【補正の内容】
【０００７】
上記課題を解決するために、本発明の一実施例による画像読取装置は、
原稿が載置されるプラテンガラスと、
前記プラテンガラスの上に載置される前記原稿の位置を決める原稿位置決め部と、
前記プラテンガラスの上に載置された前記原稿を押さえる圧板と、
前記プラテンガラスの上に載置された前記原稿を照明する光源と、
主走査方向に並んで配置された複数の受光部を有し、前記光源により照明された前記原稿からの反射光を受光して画像データを生成するラインイメージセンサと、
前記圧板と前記プラテンガラスとのなす角度が所定の角度であることを検出するセンサと、
前記主走査方向に直交する副走査方向に前記原稿位置決め部から所定の距離だけ離れた検出位置に配置された原稿サイズ検出器と、
表示部を有し、前記原稿の画像を読み取る画像読取動作を開始させる第１のユーザ指示および前記原稿のサイズを検出する動作を実行させる第２のユーザ指示を受けるように構成された操作部と、
前記原稿の前記サイズを保存する記憶部と、
前記角度が前記所定の角度より大きい場合は、前記第２のユーザ指示を受けるためのソフトスイッチを前記表示部に表示させ、前記角度が前記所定の角度より大きく且つ前記第２のユーザ指示を受けた場合は、前記ラインイメージセンサの検出結果と前記原稿サイズ検出器の検出結果とに基づいて前記原稿の前記サイズを決定し、前記角度が前記所定の角度より小さい場合は、前記ソフトスイッチを前記表示部に表示せず又は前記ソフトスイッチを作動不能にし、前記第２のユーザ指示なしに前記ラインイメージセンサの前記検出結果と前記原稿サイズ検出器の前記検出結果とに基づいて前記原稿の前記サイズを決定する制御手段と、
を備えることを特徴とする。
【手続補正３】
【補正対象書類名】明細書
【補正対象項目名】０００９
【補正方法】変更
【補正の内容】
【０００９】
【図１】画像読取装置の断面図。
【図２】第一センサ及び第二センサの説明図。
【図３】第一センサ及び第二センサの出力と圧板の状態を示す図。
【図４】スキャナコントローラ及びコントローラ部のブロック図。
【図５】操作部及び表示部を示す図。
【図６】原稿のサイズを検出するための主走査方向変化検出位置設定の一例を示す図。
【図７】圧板の状態が閉状態から開状態へ変化した際の原稿サイズ検出動作を示す流れ図。
【図８】表示部に表示される原稿サイズ選択画面の一例を示す図。
【図９】通常サイズ検出動作を示す流れ図。
【図１０】外光検知の一例を示す図。
【図１１】圧板の閉じかけ状態と閉状態とで変化する読取信号の説明図。
【図１２】簡易サイズ検出動作を示す流れ図。
【図１３】簡易サイズ検出動作におけるサイズ確定演算の説明図。
【手続補正４】
【補正対象書類名】明細書
【補正対象項目名】００４７
【補正方法】変更
【補正の内容】
【００４７】
＜＜＜サイズ確定演算＞＞＞
以下、図１１を参照して、図９のＳ５１７におけるサイズ確定演算を説明する。図１１は、圧板１０９の閉じかけ状態と閉状態とで変化する読取信号の説明図である。図１１（ａ）は、圧板１０９が閉じかけ状態にある画像読取装置１００とラインセンサ１０７から出力される読取信号とを示す図である。図１１（ｂ）は、圧板１０９が閉状態にある画像読取装置１００とラインセンサ１０７から出力される読取信号とを示す図である。図１１（ｃ）は、圧板１０９の閉じかけ状態における読取信号６０１と、圧板１０９の閉状態における読取信号６０２と、サイズ確定演算の演算結果６０３とを示す図である。
【手続補正５】
【補正対象書類名】明細書
【補正対象項目名】００４８
【補正方法】変更
【補正の内容】
【００４８】
読取信号６０１の主走査方向ＭＳに関する検出データ初期値Ｈ０［ｉ］（ｉ＝１〜６）及び読取信号６０２の主走査方向ＭＳに関する検出データＨ１［ｉ］（ｉ＝１〜６）は、予め設定された白閾値Ｗ及び黒閾値Ｂと比較されて白、灰及び黒に３値化される。プラテンガラス１０３へ外光が入射する場合、図９のＳ５０３、Ｓ５０４、Ｓ５０７及びＳ５０８で処理が実行される。一方、プラテンガラス１０３へ外光が入射しない場合、検出データ初期値Ｈ０［ｉ］及びＨ１［ｉ］（ｉ＝１〜６）に基づいてサイズ確定演算が実行され
【手続補正６】
【補正対象書類名】明細書
【補正対象項目名】００５０
【補正方法】変更
【補正の内容】
【００５０】
副走査方向ＳＳに関するサイズ確定演算においては、検出データ初期値Ｖ０と検出データＶ１の比較が実行される。反射型センサ１０８は、プラテンガラス１０３上に原稿Ｄ又は圧板１０９がある場合にはＯＮであり、プラテンガラス１０３上に原稿Ｄも圧板１０９もない場合にはＯＦＦである。よって、検出データ初期値Ｖ０がＯＦＦであり、検出データＶ１がＯＮである場合、反射型センサ１０８の位置３００に原稿Ｄがないと判断される。反射型センサ１０８の位置３００に原稿Ｄがないので、検出原稿サイズは、Ｂ５ＲではなくＢ６であると判断される。このように、サイズ確定演算により原稿Ｄのサイズが得られる。
【手続補正７】
【補正対象書類名】明細書
【補正対象項目名】００５２
【補正方法】変更
【補正の内容】
【００５２】
＜＜＜サイズ確定演算＞＞＞
以下、図１３を参照して、図１２のＳ１００３におけるサイズ確定演算を説明する。図１３は、簡易サイズ検出動作におけるサイズ確定演算の説明図である。図１３（ａ）は、圧板１０９が開状態にある画像読取装置１００とラインセンサ１０７から出力される読取信号６１１とを示す図である。図１３（ｂ）は、圧板１０９の開状態における読取信号６１１とサイズ確定演算の演算結果６１２とを示す図である。
【手続補正８】
【補正対象書類名】明細書
【補正対象項目名】００５４
【補正方法】変更
【補正の内容】
【００５４】
副走査方向ＳＳに関するサイズ確定演算は、検出データ初期値Ｖ０に基づいて実行される。反射型センサ１０８は、プラテンガラス１０３上に原稿Ｄがある場合にはＯＮであり、プラテンガラス１０３上に原稿Ｄがない場合にはＯＦＦである。よって、検出データ初期値Ｖ０がＯＦＦである場合、反射型センサ１０８の位置３００に原稿Ｄがないと判断される。反射型センサ１０８の位置３００に原稿Ｄがないので、検出原稿サイズは、Ｂ５ＲではなくＢ６であると判断される。このように、サイズ確定演算により原稿Ｄのサイズが得られる。
【手続補正９】
【補正対象書類名】図面
【補正対象項目名】図９
【補正方法】変更
【補正の内容】
【図９】
2019114987.tif 000001